(57)【要約】【課題】既着の眼鏡に、簡単に取付取り外しが可能な副眼鏡であって、しかも視野の妨げにならず上方への跳ね上げ状態を安定的に保持する事。【解決手段】副眼鏡の左右両端部に主眼鏡のレンズを挟持する個々のアタッチメント部（１２）を有するレンズ保持フレーム（１０）と、そして、軸として作用する前記レンズ保持フレームのほぼ中間部の屈曲部に嵌合されるパイプ状の軸受け部（１４）と、その軸受け部と一体となり副眼鏡レンズ又は縁に固着される副眼鏡フレーム（１６）とを設け、前記個々のアタッチメント部の対のレンズ掴み部（１８，１９）をほぼ平行に離間して前記主眼鏡の個々のレンズの外側にそれぞれ位置する様に設け、そして、前記パイプ状の軸受けはその穴の輪切り断面形状を楕円形に設けた。【選択図】図１
0003121289.tif 000002
【実用新案登録請求の範囲】
【請求項１】
主眼鏡に取り外し可能に取着でき、前方から上方に跳ね上げ可能な副眼鏡のアタッチメント及び跳ね上げ機構であって、左右両端部に主眼鏡のレンズを挟持する個々のアタッチメント部を有するレンズ保持フレームと、そして、軸として作用する前記レンズ保持フレームのほぼ中間部の屈曲部に嵌合されるパイプ状の軸受け部と、その軸受け部と一体となり副眼鏡レンズ又は縁に固着される副眼鏡フレームとを有する副眼鏡に於いて、前記個々のアタッチメント部の対のレンズ掴み部はほぼ平行に離間されて前記主眼鏡の個々のレンズの外側にそれぞれ位置する様に設けられ、そして、前記パイプ状の軸受けはその穴の輪切り断面形状が楕円形に設けられた事を特徴とする副眼鏡。
【請求項２】
前記パイプ状の穴の輪切り断面形状が、多角形に設けられた事を特徴とする、請求項１記載の副眼鏡。
【請求項３】
前記軸となるレンズ保持フレームの中間部屈曲部が、くの字型、又は、台形、又は、波型に加工された事を特徴とする請求項１記載の副眼鏡。
【考案の詳細な説明】
【技術分野】
【０００１】本考案は、既着の主眼鏡に取り外し可能に取り付けられ、且つ跳ね上げ可能な副眼鏡のアタッチメント部と跳ね上げ部との構造に関する。
【背景技術】
【０００２】従来、今迄使用していた眼鏡、すなわち既着の眼鏡に取り外し可能に取り付けられ、且つ、跳ね上げ機構を有する副眼鏡及びその取付構造としては、登録実用新案第３０２０５１６号が開示されている。すなわち、サングラスレンズの上縁中央に取り付けられた係止桿とそれに嵌合する係合部及びレンズ保持具とを有する前掛跳ね上げ式サングラスが開示されている。【０００３】
【特許文献１】登録実用新案第３０２０５１６号
【考案の開示】
【考案が解決しようとする課題】
【０００４】しかしながら、上記サングラスに於いては、棒状の係止桿を回動可能に係合部に嵌合されてはいるが、サングラスを上方に繰り返し回動し使用すると係合部が甘くなり上方に開拡した場合安定性が悪くなりサングラスが徐々に下がってくるようになってしまった。又、前記保持具が眼鏡レンズを眼鏡中央部（内爪）と外側（外爪）により保持することによりサングラスの保持に付いては安定はしているが、眼鏡の中央部に保持具（内爪）があることにより視野に入り対象物が見難くなってしまっていた。
【課題を解決するための手段】
【０００５】上記課題を解決する為に本考案に於いては、主眼鏡に取り外し可能に取着でき、前方から上方に跳ね上げ可能な副眼鏡のアタッチメント及び跳ね上げ機構であって、左右両端部に主眼鏡のレンズを挟持する個々のアタッチメント部を有するレンズ保持フレームと、そして、軸として作用する前記レンズ保持フレームのほぼ中間部の屈曲部に嵌合されるパイプ状の軸受け部と、その軸受け部と一体となり副眼鏡レンズ又は縁に固着される副眼鏡フレームとを有する副眼鏡に於いて、前記個々のアタッチメント部の対のレンズ掴み部はほぼ平行に離間されて前記主眼鏡の個々のレンズの外側にそれぞれ位置する様に設けられ、そして、前記パイプ状の軸受けはその穴の輪切り断面形状が楕円形に設けられた事を特徴とする副眼鏡の考案により解決を図った。【０００６】更に、前記パイプ状の穴の輪切り断面形状を、多角形に設けること、及び前記軸となるレンズ保持フレームの中間部屈曲部を、くの字型、又は、台形、又は、波型に加工することにより更なる課題の解決を図った。
【考案の効果】
【０００７】上記構造を採用することにより、副眼鏡を跳ね上げて開拡した状態で主眼鏡を使用しても副眼鏡（サングラス等）が徐々に下がってくることもなくなり、任意の跳ね上げ位置での安定性も良くなった。又、副眼鏡のレンズアタッチメント部を主眼鏡レンズの外側に来る様に配置し、そして、対のレンズ掴み部をほぼ平行に離間して設けることにより対象物を見る為の視野が広くなり見通しも良くなった。更に、対のレンズ掴み部がほぼ平行に離間して設けられたことにより主眼鏡のレンズに副眼鏡のアタッチメント部を嵌め易くなった。
【考案を実施するための最良の形態】
【０００８】主眼鏡に取り外し可能に取着でき、前方から上方に跳ね上げ可能な副眼鏡のアタッチメント及び跳ね上げ機構であって、左右両端部に主眼鏡のレンズを挟持する個々のアタッチメント部を有するレンズ保持フレームと、そして、軸として作用する前記レンズ保持フレームのほぼ中間部の屈曲部に嵌合されるパイプ状の軸受け部と、その軸受け部と一体となり副眼鏡レンズ又は縁に固着される副眼鏡フレームとを有する副眼鏡に於いて、前記個々のアタッチメント部の対のレンズ掴み部はほぼ平行に離間されて前記主眼鏡の個々のレンズの外側にそれぞれ位置する様に設けられ、そして、前記パイプ状の軸受けはその穴の輪切り断面形状が楕円形に設けられた事を特徴とする副眼鏡。以下図によって解説する。
【実施例】
【０００９】図１は本考案の副眼鏡Ｆの背面から見た斜視図であり、左右両端部に主眼鏡のレンズを挟持する為の個々のアタッチメント部１２を有するレンズ保持フレーム１０と、そして、軸として作用する前記レンズ保持フレームのほぼ中間部の屈曲部に嵌合されるパイプ状の軸受け部１４と、その軸受け部と一体となり副眼鏡レンズＬ又は縁（図示なし）に固着される副眼鏡フレーム１６とを有し、前記個々のアタッチメント部の対のレンズ掴み部１８，１９はほぼ平行に離間されて前記主眼鏡の個々のレンズの外側にそれぞれ位置する様に設けられ、そして、図２の様に前記パイプ状の軸受け１４はその穴の輪切り断面形状が楕円形Ｄに設けられている。この様にパイプ状の軸受け部の穴の輪切り断面形状が非円形に形成される事により、軸となる屈曲部がパイプの穴に嵌め易くなり、副眼鏡を使用する位置、すなわち、閉じられた状態、又は、不使用の場合、すなわち、前方又は上方に跳ね上げられ開拡された状態に於いても、副眼鏡をしっかりその位置に安定的に保持する事が可能となった。【００１０】図３は本考案の副眼鏡Ｆを主眼鏡Ｔに取り付けた状態の背面から見た斜視図であり、副眼鏡Ｆの個々のアタッチメント部の対のレンズ掴み部１８，１９はほぼ平行に離間されて前記主眼鏡の個々のレンズ３０の外側３１にそれぞれ位置する様に設けられ、該レンズ３０を挟む様に設けられている。この様に外側に配置されることにより、レンズ掴み部が視野の妨げにならず、使用していても殆ど気にならない。又、レンズ掴み部１８，１９が僅かに離間して設けられることにより主眼鏡のレンズに取り付ける際に両手でレンズ掴み部を拡げなくても、主レンズを挟み込むことが出来るようになった。主レンズを保持する力も変わらず振動等で簡単に主レンズから外れることは無い。しかしながら、主眼鏡より外す場合は上方に副眼鏡を引っ張り上げれば主眼鏡レンズより離す事が出来る構造となっている。【００１１】図４及び図５はパイプ状の軸受け１４ａ，１４ｂに嵌合される軸となるレンズ保持フレーム１０ａ，１０ｂの屈曲部１１ａ，１１ｂの構造の変化応用例図であり、この様に軸となるレンズ保持フレームの中間部の屈曲部をくの字型、又は台形、波型（図示無し）に加工する事によりパイプの穴の楕円形の形状とあいまって、副眼鏡の回動及び停止がスムーズに行える事となった。【００１２】図６はパイプ状の軸受け部の他の実施例の要部断面図であり、図の様に、内部穴の形状が六角形等の多角形でも良く、本考案の課題は解決される。
【図面の簡単な説明】
【００１３】
【図１】本考案の実施例の背面からの全体斜視図
【図２】図１の平面図及び一部断面図
【図３】本考案の副眼鏡を主眼鏡に取り付けた場合の背面からの斜視図
【図４】本考案の軸受けと軸部の応用図
【図５】本考案の請求項３に関わる軸受けと軸部の応用図
【図６】本考案の請求項２に関わるパイプ内部の要部断面図
【符号の説明】
Ｆ      副眼鏡
Ｔ      主眼鏡
１０    保持フレーム
１１    保持フレーム屈曲部
１２    アタッチメント部
１４    パイプ状軸受け部
１６    副眼鏡フレーム
１８、１９    レンズ掴み部
３０，３１    レンズ
【図１】
0003121289.tif 000003
【図２】
0003121289.tif 000004
【図３】
0003121289.tif 000005
【図４】
0003121289.tif 000006
【図５】
0003121289.tif 000007
【図６】
0003121289.tif 000008